(57)【特許請求の範囲】
【請求項１】
各コマの位置を示すパーフォレーションと各コマ毎に該コマに対する磁気情報が記録されるフレームトラックとを有する現像済み写真フイルムを搬送し、各コマ画像をラインセンサを介して読み取るとともに各コマのフレームトラックから磁気情報を読み取るフイルムスキャナにおいて、
前記パーフォレーションを検出してコマ画像入力のタイミング信号を発生させる第１のパーフォレーションセンサと、
前記第１のパーフォレーションセンサに対して半コマ分程度離間した位置に配設され、前記パーフォレーションを検出して磁気情報入力のタイミング信号を発生する第２のパーフォレーションセンサと、
前記第１のパーフォレーションセンサからのタイミング信号に同期して前記ラインセンサから出力される画像情報の入力を開始し、１コマ分の画像情報の入力後に、当該入力された１コマ分の画像情報からそのコマの撮影条件を演算するための情報を求め、この情報を画像処理手段に転送する画像情報取得手段と、
各コマのフレームトラックから磁気情報を読み取る再生ヘッドを含み、前記第２のパーフォレーションセンサからのタイミング信号に同期して該再生ヘッドを介して磁気情報の読み取りを開始し、１コマ分の磁気情報の読み取り終了後に該磁気情報を前記画像処理手段に転送する磁気情報読取手段と、
プリスキャン時に前記画像情報取得手段から転送される情報に基づいて各コマ画像の撮影条件を演算しその撮影条件を示す情報を記憶するとともに、前記磁気情報読取手段から転送される磁気情報を記憶し、これらの記憶した情報に基づいて、その後の更なるプリスキャン又は本スキャン時に前記写真フイルムから読み込まれるコマ画像を処理する画像処理手段と、
を備えたことを特徴とするフイルムスキャナ。
【請求項２】
前記フイルムは単一のスプールを有するフイルムカートリッジに巻回されており、前記画像情報取得手段及び磁気情報読取手段は前記フイルムカートリッジの装着後のフイルムの連続送り出し期間中に動作する請求項１のフイルムスキャナ。
【請求項３】
前記画像情報取得手段は、前記ラインセンサから出力される画像情報を所定の画素数のブロック単位でそれぞれ積算し、各積算値をそのコマの撮影条件を演算するための情報として前記画像処理手段に転送する請求項１のフイルムスキャナ。
【請求項４】
前記画像処理手段は、前記プリスキャン時に各コマの撮影条件を示す情報を記憶した後、前記ラインセンサによって何れかのコマの画像情報を再度読み取る際に、そのコマに対応して記憶した撮影条件を示す情報に基づいて補正することを特徴とする請求項１のフイルムスキャナ。
【請求項５】
各コマに対する光学情報が記録される光学情報記録部を有する前記写真フイルムを用い、該光学情報記録部から光学情報を読み取る前記フイルムスキャナにおいて、
前記第２のパーフォレーションセンサは、前記第１のパーフォレーションセンサに対して半コマ分程度離間した位置に配設され、前記パーフォレーションを検出して光学情報入力タイミング信号を発生する第３のパーフォレーションセンサとして兼用されるとともに、
当該フイルムスキャナは、
各コマの光学情報記録部から光学情報を読み取る光学読取センサを含み、前記第３のパーフォレーションセンサからのタイミング信号に同期して前記光学読取センサを介して光学情報の読み取りを開始し、１コマ分の光学情報の読み取り終了後に該光学情報を前記画像処理手段に転送する光学情報読取手段と、
前記光学情報読取手段から転送される光学情報を記憶し、この情報に基づいて本スキャン時に前記写真フイルムから読み込んだ再生表示対象のコマ画像を処理する前記画像処理手段と、
を備えたことを特徴とする請求項１のフイルムスキャナ。
【請求項６】
前記フイルムは単一のスプールを有するフイルムカートリッジに巻回されており、前記フイルムカートリッジの装着後の第１のプリスキャン時においてフイルムの連続送り出し期間中に前記画像情報取得手段及び磁気情報読取手段を動作させて前記撮影条件の演算に必要な情報の取得及び磁気情報の取得を行い、
前記第１のプリスキャン後の第２のプリスキャン時においてフイルムの連続巻き戻し期間中に前記画像情報取得手段及び光学情報読取手段を動作させて前記撮影条件の演算に必要な情報の取得及び光学情報の取得を行いうことを特徴とする請求項５のフイルムスキャナ。
【請求項７】
前記画像処理手段に記憶した情報の編集を行う手段と、
前記画像処理手段に記憶した磁気情報及び前記編集の内容を示すデータを前記フイルムのフレームトラック又はリーダー部の磁気トラックに記録する磁気記録ヘッドを含み、前記第２のパーフォレーションセンサからのタイミング信号に同期して該記録ヘッドを介して各コマ毎に対応する磁気情報の書き込みを開始する磁気情報記録手段を備えたことを特徴とする請求項１のフイルムスキャナ。
【請求項８】
前記フイルムは単一のスプールを有するフイルムカートリッジに巻回されており、前記磁気情報記録手段は前記フイルムカートリッジを排出する直前のフイルムの巻戻し期間中に動作することを特徴とする請求項７のフイルムスキャナ。
【発明の詳細な説明】
【０００１】
【産業上の利用分野】
本発明はフイルムスキャナに係り、特に磁気記録可能なネガフイルムを所定の速度で搬送してフイルムに記録された画像及び情報を読み取ると共に読み取った情報に基づいて画像を適正に再生するフイルムスキャナに関する。
【０００２】
【従来の技術】
従来から、磁気記録層を有した写真フイルムのコマ画像をＣＣＤラインセンサで撮像し、ＣＣＤラインセンサから出力される画像信号を画像処理してモニタＴＶに出力するフイルムスキャナが提案されている（特願平６−９２４号明細書参照）。
【０００３】
このフイルムスキャナは、先ず、フイルム全体にわたって高速読み取り（第１プリスキャン）を行い、この時読み取った画像情報に基づいて画像の撮影条件（ＡＥ／ＡＷＢデータ）を取得する。続いて、この撮影条件に基づいて各コマに補正をかけながらフイルムを高速でスキャン（第２プリスキャン）を実行して、全コマの縮小画像（インデックス画像）を取得すると共に更に詳細なＡＥ／ＡＷＢデータを取得している。そして、各コマ毎の画像を再生する際には、この第２プリスキャンで得られたＡＥ／ＡＷＢデータに基づいて各コマに補正をかけて適正な各コマ画像を取得し（これを本スキャンという）、これをモニタＴＶに表示している。
【０００４】
また、フイルムに記録された磁気情報は、前記第１のプリスキャン時にコマ画像の読み取りと同時に読み込まれ、中央処理装置（ＣＰＵ）に内蔵したメモリ（ＲＡＭ）に記憶される。そして該磁気情報に基づいて、各コマ毎に必要な画像処理が施される。尚、操作者は、モニタＴＶに表示される前記インデックス画像又は各コマ毎の画像を見ながら、キーパッド等の外部入力手段を介して前記ＲＡＭ内の情報を書き換えることができ、書き換えられた情報は該フイルムをフイルムスキャナから排出する際に磁気記録ヘッドを介してフイルムの磁気記録層に再記録される。
【０００５】
一方、特願平６−２９２６９５号明細書には、プリスキャンの往路で磁気情報の読み取り及び第１の撮影条件の読み取りを実行し、プリスキャンの復路で前記第１の撮影条件に基づいてインデックス画像を取得すると共に第２の撮影条件の読み取りを行うというフイルムスキャナのシーケンスが提案さている。
【０００６】
【発明が解決しようとする課題】
ところで、上記フイルムスキャナでは、磁気情報の取得と撮影条件情報（ＡＥ／ＡＷＢデータ）の取得はプリスキャン時に同時に行っており、ＣＰＵは、前記両情報を同時に入力して、それぞれの情報を記憶するとともに必要な演算を実行することが必要となる。即ち、ＣＰＵはプリスキャンによって取得した磁気情報及びＡＥ／ＡＷＢデータを同時に処理しなければならず、ＣＰＵの処理負荷が過大になるという問題がある。このことは、高速処理能力を有するＣＰＵが必要となり、コスト高になるという問題につながる。
【０００７】
また、上記特願平６−９２４号明細書に開示されたフイルムスキャナは、磁気情報の読み取り、インデックス画像の取得及び磁気情報の再書き込み等の工程をフイルムの一方向の搬送（往路方向）のみで実行し、各工程を実行する毎にフイルムを巻き戻す必要がある。このことは、処理時間が長時間化するのみならず、不要なフイルム駆動によるフイルムの劣化及びメカの短寿命化をもたらすという問題がある。
【０００８】
本発明は、このような事情に鑑みてなされたもので、ＣＰＵの処理負荷を時間軸上で分散させるとともに、インデックス画像の取得及び磁気情報の書き込みを逆方向搬送で行うことができるフイルムスキャナを提供することを目的とする。
【０００９】
【課題を解決するための手段】
本発明は、前記目的を達成するために、各コマの位置を示すパーフォレーションと各コマ毎に該コマに対する磁気情報が記録されるフレームトラックとを有する現像済み写真フイルムを搬送し、各コマ画像をラインセンサを介して読み取るとともに各コマのフレームトラックから磁気情報を読み取るフイルムスキャナにおいて、前記パーフォレーションを検出してコマ画像入力のタイミング信号を発生させる第１のパーフォレーションセンサと、前記第１のパーフォレーションセンサに対して半コマ分程度離間した位置に配設され、前記パーフォレーションを検出して磁気情報入力のタイミング信号を発生する第２のパーフォレーションセンサと、前記第１のパーフォレーションセンサからのタイミング信号に同期して前記ラインセンサから出力される画像情報の入力を開始し、１コマ分の画像情報の入力後に、当該入力された１コマ分の画像情報からそのコマの撮影条件を演算するための情報を求め、この情報を画像処理手段に転送する画像情報取得手段と、各コマのフレームトラックから磁気情報を読み取る再生ヘッドを含み、前記第２のパーフォレーションセンサからのタイミング信号に同期して該再生ヘッドを介して磁気情報の読み取りを開始し、１コマ分の磁気情報の読み取り終了後に該磁気情報を前記画像処理手段に転送する磁気情報読取手段と、プリスキャン時に前記画像情報取得手段から転送される情報に基づいて各コマ画像の撮影条件を演算しその撮影条件を示す情報を記憶するとともに、前記磁気情報読取手段から転送される磁気情報を記憶し、これらの記憶した情報に基づいて、その後の更なるプリスキャン又は本スキャン時に前記写真フイルムから読み込まれるコマ画像を処理する画像処理手段と、を備えたことを特徴としている。
【００１０】
【作用】
本発明によれば、フイルムが搬送され、第１のパーフォレーションセンサがパーフォレーションを検出してコマ画像入力のタイミング信号を発生する。そして前記画像入力タイミング信号に同期して、画像情報取得手段はラインセンサからの画像情報を入力し始める。画像情報取得手段は、入力する画像情報を時々刻々処理して、撮影条件を演算するための元となるデータを演算し、１コマ分の画像情報の入力が終了した後に、該コマの撮影条件を演算するための情報を画像処理手段に転送する。
【００１１】
一方、前記第１のパーフォレーションセンサのタイミング信号から遅れること半コマ分程度の搬送時間経過後に、第２のパーフォレーションセンサがパーフォレーションを検出して磁気情報入力のタイミング信号を発生する。そして前記磁気情報入力のタイミング信号に同期して、磁気情報読取手段は再生ヘッドを介してフイルムの磁気記録層に記録された磁気情報の読み取りを開始する。１コマ分の磁気情報を読み取り終わると、該情報を前記画像処理手段に転送する。
【００１２】
画像処理手段は、前記画像読取手段から転送された情報を基に各コマの撮影条件を演算してその演算結果を記憶すると共に、前記磁気情報読取手段から転送された磁気情報を記憶する。そして、これら記憶した情報に基づいて、適正なコマ画像を再生することできる。このように、画像処理手段に入力する撮影条件を演算するためのデータと、磁気情報との転送タイミングに時間差を設け、画像処理手段における各種データの処理負荷を時間的に分散させることができる。
【００１３】
本発明の別の態様によれば、フイルムが搬送され、第１のパーフォレーションセンサがパーフォレーションを検出してコマ画像入力のタイミング信号を発生する。そして前記画像入力タイミング信号に同期して、画像情報取得手段はラインセンサからの画像情報を入力し始める。画像情報取得手段は、入力する画像情報を時々刻々処理して、撮影条件を演算するための元となるデータを演算し、１コマ分の画像情報の入力が終了した後に、該コマの撮影条件を演算するための情報を画像処理手段に転送する。
【００１４】
一方、前記第１のパーフォレーションセンサのタイミング信号から遅れること半コマ分程度の搬送時間経過後に、第３のパーフォレーションセンサとして兼用される第２のパーフォレーションセンサがパーフォレーションを検出して光学情報入力のタイミング信号を発生する。そして前記光学情報入力のタイミング信号に同期して、光学情報読取手段は光学読取センサを介してフイルムの光学情報記録部に記録された光学情報の読み取りを開始する。１コマ分の光学情報を読み取り終わると、該情報を前記画像処理手段に転送する。
【００１５】
画像処理手段は、前記画像読取手段から転送された情報を基に各コマの撮影条件を演算してその演算結果を記憶するとともに、前記磁気情報読取手段から転送される磁気情報を記憶し、これらの記憶した情報に基づいて適正なコマ画像を再生することできる。このように、画像処理手段に入力する撮影条件を演算するためのデータと、光学情報との転送タイミングに時間差を設け、画像処理手段における各種データの処理負荷を時間的に分散させることができる。
【００１６】
本発明の更に別の態様によれば、フイルムカートリッジを装着し、フイルムを連続送り出し（往路）期間中に前記画像情報取得手段及び磁気情報読取手段が動作して、撮影条件の演算と磁気情報の取得を実行し、その後、フイルムを巻き戻す（復路）期間中に、前記画像情報取得手段及び光学情報読取手段が動作して更に詳細な撮影条件の演算と光学情報の取得を実行する。これにより、フイルム搬送の往路及び復路でそれぞれ情報を取得することができ、処理時間の短縮化が図られ、操作性を高めることができる。
【００１７】
【実施例】
以下添付図面に従って本発明に係るフイルムスキャナの好ましい実施例を詳説する。
図１は本発明に係るフイルムスキャナを含むシステム全体の概略構成を示す斜視図である。同図に示すように、フイルムスキャナ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【００１８】
フイルムスキャナ１００にはキーパッド１２０及びモニタＴＶ１０９が接続され、キーパッド１２０からは信号ケーブル１０６を介してフイルムスキャナ１００を制御するための各種の操作信号がフイルムスキャナ１００に出力され、フイルムスキャナ１００からは信号ケーブル１０８を介して映像信号がモニタＴＶ１０９に出力される。尚、キーパッド１２０によるフイルムスキャナ１００の制御の詳細については後述する。
【００１９】
フイルムカートリッジ１１０は、図２に示すように単一のスプール１１２を有し、このスプール１１２に写真フイルム１１４が巻回されている。写真フイルム１１４には、各コマの位置を示すパーフォレーション１１５が穿設されるとともに、フイルム縁部に磁気トラック１１６、１１７が形成されており、この磁気記録トラック１１６、１１７には、磁気ヘッドを有するカメラによってコマ毎の撮影データ等を示す磁気データが記録できるようになっている。
【００２０】
同図に示すように一のコマに対して二のパーフォレーション１１５が形成されており、例えば第１コマ♯１の位置よりも前に設けられているパーフォレーション１ＡをＡパーフォレーションと呼び、コマの位置に一致して設けられているパーフォレーション１ＭをＭパーフォレーションと呼ぶ。以下同様に第２コマ♯２の位置よりも前に設けられ、第１コマ♯１の最終位置に対応して設けられているＡパーフォレーションを２Ａ、以下順次２Ｍ、３Ａ、３Ｍ・・・と呼ぶことにする。
【００２１】
ここで、１ロールのフイルムのうち、第１コマ♯１の位置を示すＡパーフォレーション１Ａよりもフイルム先端側をリーダ部といい、リーダ部の磁気トラックをリーダトラック１１６ａ、１１６ｂという。そして、リーダトラック１１６ａ、１１６ｂには主に１ロール全体に関する磁気情報が記録されている。更に、リーダ部にはフイルムのロット番号やフイルム固有の識別符号（フイルムＩｄｅｎｔｉｆｉｃａｔｉｏｎＩＤ）及び全コマ数情報を表すバーコードが書き込まれている。
【００２２】
一方、Ａパーフォレーション１Ａよりも後端側をフレーム部といい、フレーム部の磁気トラックをフレームトラック１１７という。そして、フレームトラック１１７にはコマ毎の磁気情報が記録される。
このフイルムカートリッジ１１０を使用するカメラは、カメラ内蔵の磁気ヘッドによって前記フイルム１１４のフレームトラック１１７に各種の磁気データをコマ毎に記録することができる。また、写真フイルム１１４の各コマごとの磁気トラック１１７と重なる位置には、被写体光によって露光されるコマ領域以外にフイルムタイプ、コマ番号等を示すバーコードや、撮影時にカメラ内蔵の光源によってプリントフォーマット等を示すデータを光学的に記録することができる。記録される磁気データとしては、例えば、コマ番号、ハイビジョン画像、パノラマ画像及び通常画像のいずれかを示すプリントフォーマット、撮影日／時刻等が考えられるが、その他、カメラによって多数種類のデータを記録することができる。
【００２３】
尚、現像処理された上記写真フイルム１１４はフイルムカートリッジ１１０に巻き取られ、これにより保管できるようになっている。
図３は上記フイルムスキャナ１００の内部構成の一実施例を示すブロック図である。このフイルムスキャナ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、露出データ積算ブロック１５５、ＣＣＤバッファＭ１ａ、Ｍ１ｂ、表示バッファＭ２、ＣＰＵ１６０、フイルム駆動メカ１７０、光学データ読取装置１８０、磁気記録再生装置１９０等を備えている。
【００２４】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００２５】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００２６】
ここで、ＣＣＤラインセンサ１４２は、フイルム給送方向と直交する方向（主走査方向）に例えば１０２４画素分のセンサを有している。また、１コマのフイルム給送方向と同方向（副走査方向）の画素数は、ＣＣＤ駆動回路１４４のリードゲートパルス等の周期を変更しないため、フイルム給送速度に応じて変化する。本実施例では、フイルムの副走査方向の速度（スキャン速度）を、標準のフイルム画像を取り込む時のスキャン速度の２のべき乗、例えば１／２倍、１倍、８倍、１６倍）となるように変更でき、これらの各スキャン速度における副走査方向の画素数は、１７９２画素、８９６画素、１１２画素、５６画素となる。
【００２７】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、積算ブロック１５５及び第１信号処理回路１５１に加えられる。
【００２８】
積算ブロック１５５は、１画面のＲ，Ｇ，Ｂデジタル画像信号毎に所定の積算エリアのデジタル信号の階調（本実施例では８ｂｉｔ（２５５）の階調とする）を積算してその平均階調を求め、１画面につき所定の点数の積算エリアの各階調データ（以下、ＡＥ／ＡＷＢ元データという）を作成する。例として、５０００〜１００００点数のＡＥ／ＡＷＢ元データからＡＥ／ＡＷＢデータを作成する場合を説明する。
【００２９】
ＣＰＵ１６０は、積算ブロック１５５から入力するＡＥ／ＡＷＢ元データに基づいて、各階調毎の度数をカウントし、この度数が前記ＡＥ／ＡＷＢ元データの総点数のしきい値（ＴＨ：本実施例では１％とする）を越えた場合にはカウントを停止する。即ち、本実施例のＣＰＵ１６０は、図４に示すように０〜２５５までの全ての階調に対して前記しきい値までカウントした簡易型のヒストグラム６０（図４中の斜線で示すヒストグラム）を作成する。尚、上記しきい値を越える度数をカウントしないことにより、カウンタのビット数を大幅に低減することができる。また、図４中二点鎖線で示すヒストグラム６１は、全ての階調データをカウントした場合のヒストグラムを示している。
【００３０】
ＣＰＵ１６０は、図４に示したヒストグラム６０の階調の小さい方からカウントした累積度数が総点数の所定の値（本実施例では１％とする）を越えた点をＡＥ／ＡＷＢ元データの基準最小値としてＲ，Ｇ，Ｂ信号毎に算出すると共に、頻度分布６０の階調の大きい方からカウントした累積度数が総点数の所定の値（本実施例では１％とする）を越えた点をＡＥ／ＡＷＢ元データの基準最大値としてＲ，Ｇ，Ｂ信号毎に算出する。そして、ＣＰＵ１６０は、前記基準最大値を用いてＲ，Ｇ，Ｂ毎のオフセット値を算出し、及び前記基準最大値と基準最小値に基づいてＲ，Ｇ，Ｂ毎の白バランスを調整するためのゲイン調整量を算出し、これらの色信号別のオフセット量を示すオフセットデータ、ゲイン調整量及びコマの明るさを示すＡＥ／ＡＷＢデータをコマ毎にＣＰＵ内蔵のランダム・アクセス・メモリ（ＲＡＭ）１６０Ａに記憶する。
【００３１】
尚、ＣＰＵ１６０は、後述する光学データ読取装置１８０及び磁気記録再生装置１９０を介して加えられる光学データ及び／又は磁気データに基づいてフイルム１１４の各コマを検知することができ、各コマをカウントすることによりコマ番号も検知することができる。
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行う。
【００３２】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１ａ又はＭ１ｂへの書込み／読出しを制御するとともに、ＣＣＤバッファＭ１ａ又はＭ１ｂに記憶された輝度信号Ｙ及びクロマ信号Ｃｒ／ｂ  の表示バッファＭ２への書込み／読出しを制御する。尚、ＣＣＤバッファＭ１ａ，Ｍ１ｂ及び表示バッファＭ２への書込み／読出し制御の詳細については後述する。
【００３３】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００３４】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００３５】
光学データ読取装置１８０は、フイルム１１４のパーフォレーション１１５を光学的に検出し、磁気情報の読み込みのタイミング信号を発生する磁気情報入力タイミングセンサ１８２と、前記パーフォレーション１１５を光学的に検出し、画像読み込みのタイミング信号を発生する画像入力タイミングセンサ１８４と、フイルム縁部に書き込まれているバーコード等の光学データを光学的に検出する光学読取センサ１８６とを含み、これらの各センサ１８２、１８４、１８６を介して検出した光学データを処理してＣＰＵ１６０に出力する。
【００３６】
磁気記録再生装置１９０は磁気再生ヘッド１９２Ａと磁気記録ヘッド１９２Ｂとを含み、磁気再生ヘッド１９２Ａを介してフイルム１１４の磁気トラック１１６ａ、１１６ｂ、１１７に記録されている磁気データを読み取り、その磁気データを処理してＣＰＵ１６０に出力し、また、ＣＰＵ１６０から加えられる書込み用のデータを磁気記録に適した信号に変換したのち磁気記録ヘッド１９２Ｂに出力し、フイルム１１４の磁気トラック１１６ａ、１１６ｂ、１１７に記録する。
【００３７】
図５は磁気情報入力タイミングセンサ１８２、画像入力タイミングセンサ１８４、磁気再生ヘッド１９２Ａ、磁気記録ヘッド１９２Ｂ及び光学読取センサ１８６の空間的配置の一例を示す図である。同図に示すように、磁気情報入力タイミングセンサ１８２と画像入力タイミングセンサ１８４とは、フイルムの半コマ分程度の距離を隔てて配置され、磁気再生ヘッド１９２Ａ、磁気記録ヘッド１９２Ｂ及び光学読取センサ１８６は互いに隣接して配置されている。
【００３８】
次に、上記構成のフイルムプレーヤ１００の作用について、図６に示すフローチャートを参照しながら説明する。
図６はフイルムスキャナ１００の全体の作用を説明する為のフローチャートである。先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１１４を送り出し、フイルム先端をフイルム巻取部の巻取軸に巻き付け、画像入力タイミングセンサが１つ目のパーフォレーション１Ａを検出してフイルムの引き出しを停止する。
【００３９】
その後駆動モータの回転数をカウントしながらフイルムを引き戻し、所定の位置（磁気情報読み取りスタート位置）で停止させる（図７（Ａ）参照）。この際に磁気再生ヘッド１９２Ａはリーダトラック１１６ａよりもフイルム前方に位置する。
フイルムローディングが完了すると、フイルムの第１のプリスキャンを実行する。即ち、第１のプリスキャン時には、図７に示すようにフイルム１１４を１２０．０ｍｍ／秒の高速で順方向（図８参照）に給送し、ＣＣＤラインセンサ１４２を介して画像データを取り込むとともに、磁気記録再生装置１９０を介して磁気データを読み取り、ＡＥ／ＡＷＢデータ及び磁気情報を取得する。
【００４０】
先ず上記第１のプリスキャン時に取り込む磁気情報の処理について説明する。図７（Ａ）において、ＣＰＵ１６０は、リーダトラック１１６ａ、１１６ｂの長さに関する情報Ｌ１  ，Ｌ２  ，Ｌ３  ，Ｌ４  を予め記憶しており、フイルム駆動メカ１７０を介してフイルム１１４を順方向（同図矢印Ａ方向）に搬送する。磁気記録再生装置１８０はフイルムの搬送距離をモータの回転数を検出することで計測し、フイルム１１４を距離Ｌ１  搬送した時点からリーダトラック１１６ａの磁気情報の読み込みを開始し、Ｌ２  まで読み込んだ時点で取得した磁気情報をＣＰＵ１６０に転送する。さらにフイルム１１４を給送して、距離Ｌ３  搬送した時点からリーダトラック１１６ｂの磁気情報を読み込み始め、距離Ｌ４  の時点で取得した磁気情報をＣＰＵ１６０に転送する。こうして、リーダトラック１１６ａ、１１６ｂの磁気情報の読み込みが完了する。
【００４１】
その後、磁気情報入力タイミングセンサ１８２がＡパーフォレーション１Ａを検出してタイミング信号を発生したのを受けて、ＣＰＵ１６０は、フレームトラック１１７の磁気情報読み込みを磁気再生記録装置１８０に設定する。磁気再生記録装置１８０はＣＰＵ１６０の命令を受けて磁気情報の読み込みを開始し、フレームトラック長Ｌ５  を読み終わってから、その情報をＣＰＵ１６０に転送する。
【００４２】
次に上記第１のプリスキャン時に取り込んだ画像データに基づく処理について説明する。
ＣＰＵ１６０は、画像入力タイミングセンサ１８４からのタイミング信号を受けて、積算ブロック１５５を動作可能にし、図３に示すＡ／Ｄコンバータ１５０から点順次のＲ，Ｇ，Ｂ信号の入力を開始させる。この積算ブロック１５５において、１画面分のＲ，Ｇ，Ｂ信号別の所定点数のＡＥ／ＡＷＢ元データが作成されると、ＣＰＵ１６０は、積算ブロック１５５からこれらのＡＥ／ＡＷＢ元データを取り込み、前述したようにＡＥ／ＡＷＢデータを作成し、このＡＥ／ＡＷＢデータをＲＡＭ１６０Ａに記憶する。
【００４３】
このときの各種センサとＣＰＵのデータ処理負荷の関係を図９（Ａ）を用いて説明する。
フイルムが順方向に搬送されると、画像入力タイミングセンサ１８４がフイルム第１コマのＡパーフォレーション１Ａを検出し検出信号を出力する（ｔ０  ）。するとＣＰＵ１６０はＣＣＤ回路ユニット１４０と積算ブロック１５５を含むＡＥ／ＡＷＢデータ取得ユニットのコマンドを設定し（Ｓ０）、ＡＥ／ＡＷＢデータ取得の準備を行う。その後、同センサ１８４がＭパーフォレーション１Ｍを検出（ｔ１  ）し、直後に第１コマ画像の読み込みを開始する。即ち、ラインセンサの出力を基に、積算ブロック１５５にてＡＥ／ＡＷＢ元データを時々刻々演算する（Ｓ１）。
【００４４】
フイルムが更に搬送されて磁気入力タイミングセンサ１８２がＡパーフォレーション１Ａを検出すると（ｔ２  ）、ＣＰＵ１６０は磁気記録再生装置１９０のコマンドを設定し（Ｓ２）、その直後磁気再生ヘッド１９２Ａを含む磁気読取ユニットは第１コマ♯１のフレームトラック１１７の磁気情報読み込みを開始する（Ｓ３）。
【００４５】
１コマ分の画像読み込み終了（ｔ３  ）と同時にＡＥ／ＡＷＢ元データの演算が終了し、該ＡＥ／ＡＷＢ元データをＣＰＵ１６０へ通知する（Ｓ４）。このとき、前記画像入力タイミングセンサ１８４がフイルム第２コマ♯２のＡパーフォレーション２Ａを検出し検出信号を出力する。
この信号を受けてＣＰＵ１６０はＡＥ／ＡＷＢデータ取得ユニットのコマンドを設定し、ＡＥ／ＡＷＢデータ取得の準備を行う。その後、同センサ１８４がＭパーフォレーション２Ｍを検出し（ｔ４  ）、直後に第２コマ画像の読み込みを開始する。即ち、ラインセンサの出力を基に、積算ブロック１５５にてＡＥ／ＡＷＢ元データを時々刻々演算が開始される（Ｓ１′）と共に、ＣＰＵ１６０では、入力したＡＥ／ＡＷＢ元データをもとにＡＥ／ＡＷＢデータが演算される（Ｓ５ａ）。
【００４６】
その後前記磁気トラック１１７の読み取り（長さＬ５  ）が終了し（ｔ５  ）、直後に該磁気データをＣＰＵ１６０に通知する（Ｓ６）。この時ＣＰＵ１６０は前記ＡＥ／ＡＷＢデータの演算中（Ｓ５ａ）であるが、これを中断して前記磁気データを入力する。
ＣＰＵ１６０への通知（Ｓ６）の終了と同時に前記磁気情報入力タイミングセンサ１８２は第２コマ♯２のＡパーフォレーション２Ａを検出し（ｔ６  ）、第２コマ♯２の磁気情報の読み取りが開始される（Ｓ３′）。
【００４７】
これと同時にＣＰＵ１６０は前記ＡＥ／ＡＷＢデータの演算を再開する（Ｓ５ｂ）。そして該ＡＥ／ＡＷＢデータの演算が終了すると（ｔ７  ）、ＣＰＵ１６０のメモリ１６０Ａに該演算結果を記憶すると共に、ＡＥ／ＡＷＢデータ取得ユニットに第３コマ♯３画像の読み取りコマンドを設定する（Ｓ４′）。
以下最終コマ（第４０コマ♯４０）まで上記工程が繰り返される。尚、図１０に示したように最終コマの終部分にはロールエンドパーフォレーションＥ１  、Ｅ２  が設けられており、更に前記パーフォレーションＥ１  、Ｅ２  と対向する側のフイルム縁部の後方にターンアラウンドパーフォレーションＴが穿設されており、前記光学読取センサ１８６が該ターンアラウンドパーフォレーションＴを検出することで、フイルム１１４の最終コマであることが確実に判別される。
【００４８】
次に第２のプリスキャンを実行する。即ち、図８に示すようにフイルム１１４を７４．０ｍｍ／秒の高速で逆方向に巻き戻し、再びＣＣＤラインセンサ１４２を介して画像データを取り込むとともに、光学読取センサ１８６を介して光学データを取り込む。この画像データの取込み時には、ＣＰＵ１６０は、ＲＡＭ１６０Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００４９】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＡＥ／ＡＷＢデータメモリ１６１Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＡＥ／ＡＷＢデータメモリ１６１Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００５０】
上記ＡＥ／ＡＷＢデータ等に基づいて各コマの画像データを調整しているため、各コマの撮影条件にかかわらず、良好な画像データを取り込むことができる。同時に、更に詳細なＡＥ／ＡＷＢデータが取得され、ＲＡＭ１６０Ａにリライトされて記憶される。
このようにして調整された各コマの画像データ、即ち、第２信号処理回路１５２から出力される輝度信号Ｙ及びクロマ信号Ｃｒ／ｂ  は、メモリ制御回路１５４を介してインデックス画像バッファＭ１ａに順次記憶される。
【００５１】
このときの各種センサとＣＰＵのデータ処理負荷の関係を図９（Ｂ）を用いて説明する。
フイルム１１４が最終コマ♯４０よりも後ろの所定の位置から逆方向に搬送されると、磁気入力タイミングセンサ１８２がフイルム第４０コマ♯４０より後ろに穿設されたエンドロールパーフォレーションＥ２  検出信号を出力する（ｔ２０）。するとＣＰＵ１６０は光学読取センサ１８６を含む光学情報取得ユニットのコマンドを設定し、光学情報取得の準備を行う（Ｓ２０）。同センサ１８２がエンドロールパーフォレーションＥ１  を検出した後、光学情報取得ユニットは第４０コマ♯４０の光学情報読み込みを開始する（Ｓ２１）。
【００５２】
フイルム１１４が更に搬送されて画像入力タイミングセンサ１８４がエンドロールパーフォレーションＥ２  を検出し検出信号を出力する（ｔ２１）。するとＣＰＵ１６０はＡＥ／ＡＷＢデータ取得ユニットのコマンドを設定すると共に、画像信号処理回路１５１、１５２を含むインデックス画像取得ユニットのコマンドを設定し、ＡＥ／ＡＷＢデータ取得の準備及びインデックス画像取得の準備を行う（Ｓ２２）。
【００５３】
その後、同センサ１８４がパーフォレーションＥ１  を検出し（ｔ２２）、第４０コマ♯４０画像の読み込みを開始する。即ち、ラインセンサの出力を基に、露出データ積算回路１５５にてＡＥ／ＡＷＢ元データを時々刻々演算する（Ｓ２３）と共に、インデックス画像を取得する（Ｓ２４）。
１コマ分の光学情報読み込みが終了すると（ｔ２３）、直後に該光学データをＣＰＵ１６０に通知する（Ｓ２０′）。その後、前記磁気情報入力タイミングセンサ１８２は第４０コマ♯４０のＡパーフォレーション４０Ａを検出し（ｔ２４）、第３９コマ♯３９の光学情報の読み取りが開始される（Ｓ２１′）。
【００５４】
１コマ分の画像読み込みが終了すると（ｔ２５）、同時にＡＥ／ＡＷＢ元データの演算が終了し、該ＡＥ／ＡＷＢ元データをＣＰＵ１６０へ通知する（Ｓ２２′）と共に、インデックス画像はバッファＭ１ａに転送される（Ｓ２２′）。このとき、前記画像入力タイミングセンサ１８４がフイルム第４０コマ♯４０のＭパーフォレーション４０Ｍを検出し、検出信号を出力する。
【００５５】
するとＣＰＵ１６０はＡＥ／ＡＷＢデータ取得ユニット及びインデックス画像取得ユニットのコマンドを設定し、ＡＥ／ＡＷＢデータ取得の準備及びインデックス画像取得の準備を行う（Ｓ２２′）。その後、同センサ１８４がＡパーフォレーション４０Ａを検出し（ｔ２６）、これに同期して第３９コマ♯３９画像の読み込みを開始する。即ち、ラインセンサの出力を基に、露出データ積算回路１５５にてＡＥ／ＡＷＢ元データを時々刻々演算が開始される（Ｓ２３′）と共に、ＣＰＵ１６０では、入力したＡＥ／ＡＷＢ元データをもとにＡＥ／ＡＷＢデータが演算される（Ｓ２６ａ）。
【００５６】
その後前記光学情報取得ユニットの読取が終了し（ｔ２７）、直後に該光学データをＣＰＵ１６０に通知する（Ｓ２０′′）。この時ＣＰＵ１６０は前記ＡＥ／ＡＷＢデータの演算中（Ｓ２６ａ）であるがこれを中断して前記光学データを入力する（Ｓ２０′′）。
ＣＰＵ１６０への光学データ通知が終了するとＣＰＵ１６０は前記ＡＥ／ＡＷＢデータの演算を再開する（Ｓ２６ｂ）。そして該ＡＥ／ＡＷＢデータの演算が終了すると、ＲＡＭ１６０Ａに該演算結果を記憶すると共に、ＡＥ／ＡＷＢデータ取得ユニット及びインデックス画像取得ユニットに次のコマ画像の読み取りコマンドを設定する。
【００５７】
以下第１コマ♯１まで上記工程が繰り返される。
さて、前述したように第２のプリスキャン時には標準のフイルム画像を取り込む時の給送速度の８倍の速度でフイルム１１４が給送されるため、図１１（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、インデックス画像バッファＭ１ａは、図１１（Ａ）に示すように５１２×１０２４画素のデータを記憶する記憶容量を有しており、これにより５×４×２（＝４０）コマ分の画像データを記憶することができる。即ち、インデックス画像バッファＭ１ａには、４０コマ分のインデックス画像を示す画像データが記憶されることになる。
【００５８】
表示バッファＭ２は、図１１（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図１１（Ｂ）、（Ｃ）参照）。
【００５９】
インデックス画像バッファＭ１ａには、図１１（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００６０】
尚、インデックス画像バッファＭ１ａへの上記記憶動作中にも、インデックス画像バッファＭ１ａの記憶内容は表示バッファＭ２に転送される。
表示バッファＭ２には１度に２０コマ分の画像データしか記憶できないため、インデックス画像バッファＭ１ａに２１コマ目の画像データが入力されると、インデックス画像を上方向にスクロールさせるように、表示バッファＭ２への画像データの書換え及び読み出しが行われる。例えば、インデックス画像バッファＭ１ａに２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがＣＣＤバッファＭ１に記憶されると、モニタＴＶ１０９には再びコマ番号１〜２０までのインデックス画像が表示されるように下方向にスクロール又は画面が切り替えられる。
【００６１】
ところで、ＣＰＵ１６０は、上記スキャン時における各コマの画像データの読取り順に各コマに対してコマ番号を１、２、…とし、各コマのコマ番号を示すキャラクター信号を出力することにより、コマ番号がスーパーインポーズされたインデックス画像を表示させるようにしている。
上記のようにしてインデックス画像の作成が行われ、モニタＴＶ１０９に表示される（図６ステップ２０２）。
【００６２】
続いてキー操作等によって自動再生を選択したか否かが判断される（ステップ２０３）。ステップ２０３において自動再生を選択しない場合には、上記インデックス画像を見ながらキーパッド１２０を使用し、対話形式でモニタＴＶ１０９に１コマ表示するために必要な編集、その他の画像再生処理情報の指定を行う（ステップ２０４）。
【００６３】
即ち、キーパッド１２０は、図１に示すように上下左右の各キー１２１〜１２４、「ＵＰ」キー１２５、「ＤＯＷＮ」キー１２６、「Ｅｘｅｃｕｔｅ」キー１２７、「Ｃａｎｃｅｌ  」キー１２８の８キーから構成されている。
さて、ＣＰＵ１６０は、図１２に示すように２０コマ分のインデックス画像と共に各種の設定メニューを示す文字をモニタＴＶ１０９に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
【００６４】
上記メニューの選択は、キーパッド１２０の「ＵＰ」，「ＤＯＷＮ」キー１２５、１２６を使用して実行したいメニューの位置にカーソル（他のメニューと色を変えて区別する）を移動させ、「Ｅｘｅｃｕｔｅ」キー１２７を押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１２０の上下左右のキー１２１〜１２４を操作することによって行うことができる。
【００６５】
例として、コマの縦横を切り替える場合について説明する。
この場合には、図１２に示すように「ＲＯＴＳ」にカーソルを合わせて「Ｅｘｅｃｕｔｅ」キー１２７を押し、縦横設定メニューにする。
縦横設定メニューが選択されると、図１２に示すように編集対象のコマのコマ番号がブリンク表示されるとともに、そのコマの画像中に天地方向を示す矢印↑が表示される。この状態から「ＵＰ」キー１２５を押すと、ワンプッシュする毎に矢印の方向が９０度ずつ時計回り方向に回転し、「ＤＯＷＮ」キー１２６を押すと、ワンプッシュする毎に矢印の方向が９０度ずつ反時計回り方向に回転する。このようにして、矢印によって天地方向を選択したのち、「Ｅｘｅｃｕｔｅ」キー１２７を押すと、表示バッファＭ２の対象コマの記憶領域の画像データは、前記選択された天地方向に応じて回転させられる。尚、図１１に示したように１コマの縦と横の画素数が異なるため、横から縦に回転させる場合には画像を縮小し、縦から横に回転させる場合には画像を拡大する。
【００６６】
また、画像の縦横比に対応するハイビジョン、パノラマ、通常等のプリントフォーマット指定も各コマ毎に行うことができる。この場合、フォーマット指定に応じてインデックス画像のコマの縦横比を変更すれば、いずれのフォーマットが指定されたかをインデックス画像上で視認することができる。
更に、あるコマから次のコマに表示を切り替える場合のコマ切替方法も指定することができる。例えば、あるコマから次のコマに表示を切り替える場合に、表示画面を瞬時に切り替えるコマ切替方法の他に、画面をスクロールさせて切り替えるコマ切替方法、フェードアウト／フェードインで切り替えるコマ切替方法等の指定をインデックス画像を見ながら行うことができる。
【００６７】
上記のようにしてインデックス画像を見ながら編集を行ったのち、「ＥＮＤ」にカーソルを合わせて「Ｅｘｅｃｕｔｅ」キー１２７を押すと、インデックス画像を用いた編集が終了する。
インデックス画像による編集が終了すると、続いてステップ２０６（図６）において各コマ毎の編集を行うか否かが選択される。この選択もモニタＴＶ１０９の画面を見ながらキーパッド１２０を操作することによって行うことができる。
【００６８】
次に、各コマ毎の表示・編集を行う場合の例について説明する。
この場合には、各コマの表示を行うか否かを選択し（ステップ２０６）、コマ表示を行う場合には表示コマ番号を入力する（ステップ２０８）。その後、図８に示すようにフイルム１１４を９．２５ｍｍ／秒で順方向に１コマ分給送して、そのコマ番号のコマのスキャンを行う（ステップ２１０）。このスキャン時にＣＣＤラインセンサ１４２を介して画像データが画像データバッファＭ１ｂに取り込まれる。
【００６９】
この画像データの取込み時には、ＣＰＵ１６０は、ＲＡＭ１６０Ａに記憶したＡＥデータ、ＡＷＢデータ等に基づいて各コマの画像データを調整しているため、各コマの撮影条件にかかわらず、良好な画像データを取り込むことができる。また、このようにして画像データバッファＭ１ｂに取り込まれる１コマ分の画素数は、図１１（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００７０】
上記のようにして画像データバッファＭ１ｂに取り込まれた１コマ分の画像データは、表示バッファＭ２に転送され、この表示バッファＭ２の記憶内容が繰り返し読み出されことによりモニタＴＶ１０９に１コマの画像が表示される。
なお、バッファＭ１ａとバッファＭ１ｂはスイッチによって表示バッファＭ２への転送切り替えが随時可能である。
【００７１】
上記のようにして画像データバッファＭ１ｂに取り込まれた１コマ分の画像データは、表示バッファＭ２に転送され、この表示バッファＭ２の記憶内容が繰り返し読み出されことによりモニタＴＶ１０９に１コマの画像が表示される。尚、１コマ再生メニュー設定モード時には、図１３に示すようにコマ番号がモニタＴＶ１０９の画面左上に表示され、１コマの編集に必要な設定メニュー等を示す文字がモニタＴＶ１０９の画面右側に表示される。尚、「ＦＷＤ」は次のコマ再生を示し、「ＲＥＶ」は前のコマ再生を示し、「ＲＳＴ」は各種設定をリセットし、再スキャンを行うこと示し、「ＺＯＯＭ」はズーム設定を示し、「ＭＡＳＫ」はマスク設定を示し、「ＲＯＴ」はコマの縦横の設定を示し、「ＳＥＴ」はプリント枚数等の設定を示し、「ＩＤＸ」は前述したインデックス画像の表示を示し、「ＥＮＶ」はインターバル時間や背景色等の環境設定を示し、「ＥＮＤ」は１コマの画像を用いた編集の終了を示す。
【００７２】
上記メニューの選択は、前述したインデックス画像を用いた編集時と同様にキーパッド１２０の「ＵＰ」，「ＤＯＷＮ」キー１２５、１２６を使用して実行したいメニューの位置にカーソルを移動させ、「Ｅｘｅｃｕｔｅ」キー１２７を押すことによって行われる。
いま、「ＺＯＯＭ」にカーソルを合わせて「Ｅｘｅｃｕｔｅ」キー１２７を押すと、ズーム設定メニューとなる（ステップ２１２）。このズーム設定メニューにおいて、キーパッド１２０の上下左右のキー１２１〜１２４を操作することによりポインタを適宜移動させ、ズーム中心を指示する。そして、「ＵＰ」キー１２５又は「ＤＯＷＮ」キー１２６を押すことにより、電子ズームによるズームアップ又はズームアウトを行う。このようにして所望のズーミングを行ったのち、「Ｅｘｅｃｕｔｅ」キー１２７を押すと、ズーム設定が確定し、ＣＰＵ１６０のＲＡＭ１６０Ａに記憶される（ステップ２１４）。
【００７３】
また、上記電子ズームでは、例えば０．５〜１．５倍の範囲のズーミングができるものとする。そして、電子ズームによる倍率が１．５となり、更に「ＵＰ」キー１２５によるズームアップが指示されると、低速の本スキャンを行う。この場合、フイルム１１４を４．６３ｍｍ／秒（通常の本スキャンの速度の１／２）で順方向に給送するとともに、ＣＣＤラインセンサ１４２のＣＣＤ出力を間引かずに、前記指定されたズーム中心を基準にして取り込む。これにより、通常の本スキャン時に比べて２倍にズーミングされた画像データが取り込まれるとになる。この画像データに対して、電子ズームをかけることにより、最大３倍までズーミングすることができるようになる。
【００７４】
表示コマの編集が終了すると（ステップ２３４）、図８に示すようにフイルム１１４を１２０．０ｍｍ／秒の高速で逆方向に給送し、この給送中にＲＡＭ１６０Ａに記憶された磁気データ、前記インデックス画像を用いた編集の内容を示すデータ、表示コマを用いた編集の内容を示すデータ等が磁気情報としてフイルム１１４の磁気トラック１１６ａ、１１６ｂ、１１７に再び記録され（ステップ２３８）、この巻戻し終了後、フイルムカートリッジ１１０が取り出される（ステップ２４０）。上記のようにして編集した編集内容に応じてフイルムの各コマを１コマずつ又は所定のインターバルで連続的にモニタＴＶ１０９に再生してフイルム画像を楽しむこと（自動再生）ができる。また一旦編集が行われたフイルムカートリッジ１１０をローディングした場合には、その編集内容に応じてモニタＴＶ１０９に再生することができる。
【００７５】
一方、ステップ２０６において、表示コマを用いた編集を実行しない場合には、ステップ２４２、２４４に進み、上記ステップ２３８、２４０と同様にフイルム１１４の磁気トラック１１６ａ、１１６ｂ、１１７への書き込み、及びフイルムカートリッジ１１０の取出しが行われる。
また、ステップ２０３において自動再生が選択されると、上記ＲＡＭ１６０Ａに記憶された自動再生情報に基づいて１ロールのフイルムの複数コマの画像を順次自動的に再生する（ステップ２４６）。そして、この自動再生が終了すると、フイルム巻戻し時に磁気情報がフイルム１１４の磁気トラック１１６ａ、１１６ｂ、１１７に再び記録され（ステップ２４７）、巻戻し終了後フイルムカートリッジ１１０が取り出される（ステップ２４８）。
【００７６】
ここで、リーダトラック１１６ａ、１１６ｂへの磁気情報の書き込みについて図５及び図７（Ｂ）を用いて説明する。
フイルム１１４は矢印Ｂの方向（逆方向）に搬送され、磁気入力タイミングセンサ１８２がＭパーフォレーション１Ｍを検出する。この時リーダトラック１１６に書き込むべき磁気情報を磁気記録再生装置１８０に設定する。磁気記録再生装置１８０はＣＰＵ１６０のコマンドを受けて、Ａパーフォレーション１Ａの検出を開始し、パーフォレーション１Ａを検出後、モータの回転数から一定距離Ｌ６  を判断してから、磁気記録ヘッド１９２Ｂを介してリーダトラック１１６ｂへの磁気情報の書き込みを開始する。
【００７７】
磁気記録再生装置１９０は、リーダトラック１１６ｂへの磁気情報の書き込みが終了すると、ＣＰＵ１６０に書き込み終了を通知する。ＣＰＵ１６０はこの通知をうけて、二つ目のリーダトラック１１６ａの磁気情報を磁気記録再生装置１８０に設定する。磁気記録再生装置１８０はモータの回転数から一定距離Ｌ７  を判断してから、リーダトラック１１６ａの磁気情報の書き込みを開始し、書き込みが終了するとＣＰＵ１６０に書き込み終了を通知する。これにより、リーダ部への磁気情報の書き込み精度を向上させることができる。
【００７８】
【発明の効果】
以上説明したように、本発明に係るフイルムスキャナによれば、フイルムのパーフォレーションを検出してコマ画像入力のタイミング信号を発生させる第１のパーフォレーションセンサと、前記パーフォレーションを検出して磁気情報入力のタイミング信号を発生する第２のパーフォレーションセンサとを半コマ分程度離間した位置に配設し、画像処理手段に入力する撮影条件を演算するためのデータと、磁気情報との転送タイミングに時間差を設け、画像処理手段における各種データの処理負荷を時間的に分散させるようにしたので、安価な画像処理手段でデータの処理が可能となり、装置の低コスト化を図ることができる。
【００７９】
また、フイルムのパーフォレーションを検出してコマ画像入力のタイミング信号を発生させる第１のパーフォレーションセンサと、前記パーフォレーションを検出して光学情報入力のタイミング信号を発生する第３のパーフォレーションセンサとして兼用される第２のパーフォレーションセンサとを半コマ分程度離間した位置に配設し、画像処理手段に入力する撮影条件を演算するためのデータと、光学情報との転送タイミングに時間差を設け、画像処理手段による各種データの処理負荷を時間的に分散させるようにしたので、安価な画像処理手段でデータの処理が可能となり、装置の低コスト化に役立つ。
【００８０】
更に、画像情報取得手段及び光学情報読取手段をプリスキャンの復路で動作させて、インデックス画像の取得及び光学情報取得を行うようにしたので、巻戻しのシーケンスを削除することができ、また、フイルムの巻き戻し（復路）期間中に磁気情報の書き込みを行うことができるようにしたので、処理時間を短縮化することができ、操作性を向上することができる。これにより、無駄なフイルム走行を防止し、フイルムの保存性並びにフイルムスキャナのメカの耐久性の向上に寄与するという効果がある。
【図面の簡単な説明】
【図１】本発明に係るフイルムスキャナを含むシステム全体の概略構成を示す斜視図
【図２】図１に示したフイルムスキャナに適用されるフイルムカートリッジの一例を示す図
【図３】図１に示したフイルムスキャナの内部構成の一実施例を示すブロック図
【図４】画像信号の各階調に対するヒストグラム
【図５】図１に示したフイルムスキャナの各種センサの空間的配置の一例を示す図
【図６】図１に示したフイルムスキャナの作用を説明する為のフローチャート
【図７】図７（Ａ）乃至（Ｂ）はフイルムのリーダトラックの読み込み及び書き込みを説明する為の図
【図８】図１に示したフイルムスキャナにおいて搬送されるフイルムの搬送シーケンスの一例を示す図
【図９】図９（Ａ）乃至（Ｂ）は図５に示した各種センサとＣＰＵのデータ処理負荷の関係を説明する為の図
【図１０】図２に示したフイルムカートリッジの最終コマ付近の一例を示す図
【図１１】図１１（Ａ）乃至（Ｄ）は図１に示したフイルムスキャナにおけるＣＣＤバッファ、表示バッファにおける記憶領域及びモニタＴＶの表示画面を示す図
【図１２】インデックス画像を用いたコマの縦横設定を説明する為に用いた図
【図１３】１コマ再生メニュー設定モード時のモニタ画面の一例を示す図
【符号の説明】
１００…フイルムスキャナ
１１０…フイルムカートリッジ
１１４…写真フイルム
１１５…パーフォレーション
１１６ａ、１１６ｂ…リーダトラック
１１７…フレームトラック
１４０…ＣＣＤ回路ユニット
１５５…積算ブロック
１６０…中央処理装置（ＣＰＵ）
１８０…光学データ読取装置
１８２…磁気情報入力タイミングセンサ
１８４…画像入力タイミングセンサ
１８６…光学読取センサ
１９２Ａ…磁気再生ヘッド
１９２Ｂ…磁気記録ヘッド
【図１】
0003617044.tif 000002
【図２】
0003617044.tif 000003
【図３】
0003617044.tif 000004
【図４】
0003617044.tif 000005
【図５】
0003617044.tif 000006
【図６】
0003617044.tif 000007
【図７】
0003617044.tif 000008
【図８】
0003617044.tif 000009
【図９】
0003617044.tif 000010
【図１０】
0003617044.tif 000011
【図１１】
0003617044.tif 000012
【図１２】
0003617044.tif 000013
【図１３】
0003617044.tif 000014